(57)【要約】【課題】振動の拡散を抑制する振動吸収体を、固定子に正確かつ容易に取付けることができる組立作業性の良いファンモータユニットを提供する。【解決手段】ファンモータユニット７２は、空調室内機２内に配置されたファン７１を回転させるファンモータユニットであって、回転子７１９と、固定子７２１と、防振部材７７とを備えている。回転子７１９は、ファン７１の回転軸に固定され磁力の作用で回転する。固定子７２１は、回転子７１９に磁力を作用させる。防振部材７７は、固定子７２１の外周に沿って装着され固定子７２１の振動を吸収する。そして、防振部材７７は、複数の振動吸収体７７１，７７２，７７３と、複数の振動吸収体を長手方向に連結する薄板状の連結体７７４とを有している。【選択図】図６
2008089198.tif 000002
【特許請求の範囲】
【請求項１】
空調室内機（２）内に配置されたファン（７１）を回転させるファンモータユニットであって、
前記ファン（７１）の回転軸（７１２）に固定され磁力の作用で回転する回転子（７１９）と、
前記回転子（７１９）に磁力を作用させる固定子（７２１）と、
前記固定子（７２１）に装着される防振部材（７７）と、
前記固定子（７２１）と前記防振部材（７７）とを収納するハウジング（７３１）と、
を備え、
前記防振部材（７７）は、前記固定子（７２１）の振動を吸収する複数の振動吸収体（７７１，７７２，７７３）と、複数の前記振動吸収体（７７１，７７２，７７３）を長手方向に連結する薄板状の連結体（７７４）とを有し、
前記振動吸収体（７７１，７７２，７７３）は、前記ハウジング（７３１）と前記固定子（７２１）との間に介在して前記固定子（７２１）を保持し位置規制する、
ファンモータユニット（７２）。
【請求項２】
前記振動吸収体（７７１，７７２，７７３）が前記固定子（７２１）の外周に沿って装着されたとき、前記連結体（７７４）で連結されている振動吸収体同士の間隔と、前記連結体（７７４）で連結されていない振動吸収体同士の間隔とが不均等である、
請求項１に記載のファンモータユニット（７２）。
【請求項３】
前記固定子（７２１）は、前記振動吸収体（７７１，７７２，７７３）が装着される領域に外側へ突出する突出部（７２３）を有し、
前記振動吸収体（７７１，７７２，７７３）は、前記突出部（７２３）に嵌り込む袋状の凹部（７７１ａ，７７２ａ，７７３ａ）を有する、
請求項１に記載のファンモータユニット（７２）。
【請求項４】
前記振動吸収体（７７１，７７２，７７３）と前記連結体（７７４）とが一体成形されている、
請求項１に記載のファンモータユニット（７２）。
【請求項５】
前記振動吸収体（７７１，７７２，７７３）と前記連結体（７７４）とを一体成形する際、前記連結体（７７４）は屈曲状態で成形される、
請求項４に記載のファンモータユニット（７２）。
【請求項６】
前記振動吸収体（７７１，７７２，７７３）は、前記固定子（７２１）の重力に抗する方向へ突出して前記突出部（７２３）と接触する突起（７７１ｈ，７７２ｈ，７７３ｈ）を有している、
請求項１に記載のファンモータユニット（７２）。
【請求項７】
複数の前記振動吸収体（７７１，７７２，７７３）のうち、組立後の位置がほぼ鉛直下方になる前記振動吸収体（７７２）は、他の前記振動吸収体（７７１，７７３）よりも前記突起（７７１ｈ）の数が多い、
請求項６に記載のファンモータユニット（７２）。
【請求項８】
前記ファン（７１）と、
前記ファン（７１）を回転させる、請求項１から請求項７のいずれか１項に記載のファンモータユニット（７２）と、
前記ファン（７１）の回転によって発生する空気流との間で熱交換を行う室内熱交換器（５０）と、
を備えた空調室内機（２）。
【発明の詳細な説明】
【技術分野】
【０００１】
本発明は、空調室内機に搭載され、空調室内機内部に空気を流通させるためのファンを回転させるファンモータユニット、及びそのファンモータユニットを備えた空調室内機に関する。
【背景技術】
【０００２】
従来、空調室内機に搭載されるファンモータユニットは、磁力で回転する回転子と、磁力を発生する固定子とを対向させた構成であって、回転子はファンの回転軸上に連結されている。このタイプのファンモータユニットでは、回転子の回転に対してファン回転の追従性が悪い場合は、回転子から固定子に回転方向の振動が伝達される。そして、固定子に伝達された振動がファンモータユニットを支持する支持枠に伝わり、その支持枠が共振したときに異音が発生する。そこで、固定子に伝達された振動を吸収して振動が支持枠へ伝達されることを抑制するため、固定子には複数の振動吸収体装着されている（例えば、特許文献１参照）。
【特許文献１】特開２００５−３０６８９号公報
【発明の開示】
【発明が解決しようとする課題】
【０００３】
特許文献１に開示されている振動吸収体は、固定子外周上の３箇所にそれぞれ個別に取付けられ、しかも鉛直下方に位置する振動吸収体については、固定子の重力で永久変形しないように他の２つとは異なる形状に形成されている。このため、振動吸収体を固定子へ取付けるときには、取付け間違いが発生する可能性があった。また、３つの振動吸収体が一つひとつ固定子に装着されるため、組立作業が非効率であった。
【０００４】
本発明の課題は、振動の拡散を抑制する振動吸収体を、固定子に正確かつ容易に取付けることができる組立作業性の良いファンモータユニットを提供することにある。
【課題を解決するための手段】
【０００５】
第１発明に係るファンモータユニットは、空調室内機内に配置されたファンを回転させるファンモータユニットであって、回転子と、固定子と、防振部材と、ハウジングとを備えている。回転子は、ファンの回転軸に固定され磁力の作用で回転する。固定子は、回転子に磁力を作用させる。防振部材は、固定子に装着される。ハウジングは、固定子と防振部材とを収納する。そして、防振部材は、固定子の振動を吸収する複数の振動吸収体と、複数の振動吸収体を長手方向に連結する薄板状の連結体とを有している。そして、振動吸収体は、ハウジングと固定子との間に介在して固定子を保持し位置規制する。
【０００６】
このファンモータユニットでは、複数の振動吸収体が連結された防振部材を取出す動作は、複数の振動吸収体を１つずつ取出す動作に比べて時間が短くなり、組立作業性が向上する。
【０００７】
第２発明に係るファンモータユニットは、第１発明に係るファンモータユニットであって、振動吸収体が固定子の外周に沿って装着されたとき、連結体で連結されている振動吸収体同士の間隔と、連結体で連結されていない振動吸収体同士の間隔とが不均等になっている。
【０００８】
このファンモータユニットでは、防振部材の装着位置を間違えたとき、振動吸収体同士の間隔が異なるので装着することができない。このため、作業者は、防振部材の装着位置の間違いを素早く認識することができ、組立不良が未然に防止される。
【０００９】
第３発明に係るファンモータユニットは、第１発明に係るファンモータユニットであって、固定子が突出部を有する。突出部は、振動吸収体が装着される領域に外側へ突出している。振動吸収体は、突出部に嵌り込む袋状の凹部を有している。
【００１０】
このファンモータユニットでは、振動吸収体の装着状態が目視で確認できる。このため、装着状態の良し悪しを素早く確認でき、組立不良が未然に防止される。
【００１１】
第４発明に係るファンモータユニットは、第１発明に係るファンモータユニットであって、振動吸収体と連結体とが一体成形されている。
【００１２】
このファンモータユニットでは、振動吸収体と連結体とが同材料で同時に成形され、材料の兼用化によって製造コストが低減される。
【００１３】
第５発明に係るファンモータユニットは、第４発明に係るファンモータユニットであって、振動吸収体と連結体とが一体成形される際、連結体が屈曲状態で成形される。
【００１４】
このファンモータユニットでは、連結体を屈曲させることで、防振部材の成形金型における長手方向寸法が短縮される。このため、成形金型における防振部材の取数が増加し、単価が低減される。
【００１５】
第６発明に係るファンモータユニットは、第１発明に係るファンモータユニットであって、振動吸収体は、固定子の重力に抗する方向へ突出して突出部と接触する突起を有している。
【００１６】
このファンモータユニットでは、突起が、固定子の重力を受けて変形し応力を緩和するので、突起以外の領域が固定子の重力によって扁平することが抑制される。このため、振動吸収体の扁平による固定子の位置ズレも抑制される。
【００１７】
第７発明に係るファンモータユニットは、第６発明に係るファンモータユニットであって、複数の振動吸収体のうち、組立後の位置がほぼ鉛直下方になる振動吸収体が、他の振動吸収体よりも突起の数を多く有する。
【００１８】
このファンモータユニットでは、固定子の重力成分が最大の鉛直下方であっても、複数の突起がその重力成分を受けて変形し応力を緩和するので、突起以外の領域が固定子の重力によって扁平することが抑制される。このため、振動吸収体の扁平による固定子の位置ズレも抑制される。
【００１９】
第８発明に係る空調室内機は、ファンと、請求項１から請求項７のいずれか１項に記載のファンモータユニットと、室内熱交換器とを備えている。ファンモータユニットは、ファンを回転させる。室内熱交換器は、ファンの回転によって発生する空気流との間で熱交換を行う。
【００２０】
この空調室内機では、ファンモータユニットの組立作業性が良く、製造コストの高騰が抑制される。
【発明の効果】
【００２１】
第１発明に係るファンモータユニットでは、複数の振動吸収体が連結されている防振部材を取出す動作は、複数の振動吸収体を１つずつ取出す動作に比べて時間が短くなり、組立作業性が向上する。
【００２２】
第２発明に係るファンモータユニットでは、防振部材の装着位置を間違えたとき、振動吸収体同士の間隔が異なるので装着することができない。このため、作業者は、防振部材の装着位置の間違いを素早く認識することができ、組立不良が未然に防止される。
【００２３】
第３発明に係るファンモータユニットでは、振動吸収体の装着状態が目視で確認できる。このため、装着状態の良し悪しを素早く確認でき、組立不良が未然に防止される。
【００２４】
第４発明に係るファンモータユニットでは、振動吸収体と連結体とを同材料で同時に成形され、材料の兼用化によって製造コストが低減される。
【００２５】
第５発明に係るファンモータユニットでは、連結体を屈曲させることで、防振部材の成形金型における長手方向寸法が短縮される。このため、成形金型における防振部材の取数が増加し、単価が低減される。
【００２６】
第６発明に係るファンモータユニットでは、突起が、固定子の重力を受けて変形し応力を緩和するので、突起以外の領域が固定子の重力によって扁平することが抑制される。このため、振動吸収体の扁平による固定子の位置ズレも抑制される。
【００２７】
第７発明に係るファンモータユニットでは、固定子の重力成分が最大の鉛直下方であっても、複数の突起がその重力成分を受けて変形し応力を緩和するので、突起以外の領域が固定子の重力によって扁平することが抑制され、振動吸収体の扁平による固定子の位置ズレも抑制される。
【００２８】
第８発明に係る空調室内機では、ファンモータユニットの組立作業性が良く、製造コストが低減される。
【発明を実施するための最良の形態】
【００２９】
＜空気調和装置の全体構成＞
図１は、空気調和装置の外観図である。空気調和装置１は、調和された空気を室内に供給するための装置であり、室内の壁面などに取付けられる空調室内機２（これ以降、室内機２とよぶ）と、室外に設置される空調室外機３（これ以降、室外機３とよぶ）とを備えている。室内機２と室外機３とは、冷媒配管４によって結ばれており冷媒の流通が可能である。
【００３０】
＜空気調和装置の冷媒回路の概略構成＞
図２は、空気調和装置の冷媒回路の構成図である。冷媒回路は、アキュムレータ３１、圧縮機３２、四路切換弁３３、室外熱交換器３０、電動膨張弁３４および室内熱交換器５０で形成されている。
【００３１】
室内熱交換器５０は、室内機２内に配置されており、室内空気との間で熱交換を行う。また、室内機２には、ファン７１と室内ファンモータユニット７２とが設けられている。ファン７１は、室内空気を吸い込み室内熱交換器５０で熱交換された空気を室内に排出する。室内ファンモータユニット７２は、ファン７１を回転させる。
【００３２】
アキュムレータ３１、圧縮機３２、四路切換弁３３、室外熱交換器３０および電動膨張弁３４は室外機３内に配置されている。アキュムレータ３１は、圧縮機３２の吸入側に接続され、四路切換弁３３は、圧縮機３２の吐出側に接続されている。
【００３３】
また、室外機３には、プロペラファン３８と室外ファンモータユニット３９とが設けられている。プロペラファン３８は、室外熱交換器３０で熱交換された空気を外部に排出する。室外ファンモータユニット３９は、プロペラファン３８を回転させる。
【００３４】
＜室内機の構成＞
図３は、空気調和装置の室内機の右側面断面図である。
【００３５】
（上部ケーシング）
上部ケーシング６は、室内機２の上部を覆っている。この上部ケーシング６には、吸込口６０，６１が設けられている。室内熱交換器５０は、ファン７１の円周面に対向して配置されており、ファン７１の前方、上方および後方を取り囲むように取付けられている。室内熱交換器５０では、ファン７１を回転させることで、吸込口６０，６１から吸い込まれた空気と、冷媒との間で熱交換が行われている。
【００３６】
（下部ケーシング）
下部ケーシング７０は、外面部７９、支持枠７８等によって構成されている。外面部７９は、正面視において室内機２の外面として視野に現れる部分である。また、外面部７９には、室内機２の長手方向に沿う開口からなる吹出口７４１が設けられている。図３に示すように、吹出口７４１は、ファン７１が収納された内部空間に連通している。この吹出口７４１から、ファン７１によって生成された空気流が室内へと吹き出される。また、吹出口７４１には、吹き出される空気流を案内する水平フラップ７４２が設けられている。水平フラップ７４２は、室内機２の長手方向に平行な軸を中心に回動自在に設けられている。この水平フラップ７４２は、フラップモータ（図示せず）によって回転駆動され、吹出口７４１を開閉することができる。
【００３７】
（送風ユニット）
図４は、送風ユニットの概略平面図である。送風ユニット８は、ファン７１と、ファン７１を回転させるための室内ファンモータユニット７２とを有している。ファン７１は、ＡＳ樹脂などの樹脂材料で、長細い円筒形状に形成されており、長軸が水平になるように配置される。
【００３８】
（ファン）
図５は、支持枠に組立てられたファン及び室内ファンモータユニットの断面図である。また、ファン７１は、エンドプレート７１０，７１１と、第１シャフト７１２と、第２シャフト７１３と、羽部７１４とを有している。エンドプレート７１０，７１１は、羽部７１４の両側に設けられている。エンドプレート７１０は、ファン７１と後述の回転子７１９とを連結するために、回転子７１９と一体に形成されている。第１シャフト７１２はエンドプレート７１０の回転軸線上に配置され、エンドプレート７１０に連結されている。第２シャフト７１３はエンドプレート７１１の回転軸線上に配置され、エンドプレート７１１に連結されている。これら第１シャフト７１２と第２シャフト７１３とは、ファン７１が回転する際の回転軸となる。
【００３９】
（室内ファンモータユニット）
室内ファンモータユニット７２は、アウターロータ型のモータであり、回転子７１９と固定子組立体７２０とを有している。
【００４０】
回転子７１９は、微小な磁石粒を含む樹脂材料により形成されており、固定子組立体７２０の固定子７２１から発生する磁力により回転する。なお、回転子７１９は、固定子７２１の径方向外側に配置されている。
【００４１】
図６は、固定子組立体の分解斜視図である。図６に示すように、固定子組立体７２０は、固定子７２１と、固定子ハウジング７３１と、防振ゴム７７と、固定子軸受７５とから成る。固定子７２１は、軸方向に突出する円柱部７２２と、円柱部７２２の径方向外側に突出した突出部７２３とを有する。
【００４２】
円柱部７２２は、磁界を発生させるための鉄心（図示せず）やコイル（図示せず）などを収納しており、回転子７１９の内周面と一定の隙間を保って配置される（図５参照）。突出部７２３には、防振ゴム７７が装着される。固定子７２１は、中央に軸方向に貫通する軸受穴７２４を有している。
【００４３】
図６に示すように、固定子ハウジング７３１は、固定子ケース７３２と固定子カバー７３９とから成る。固定子ケース７３２は、円筒部７３３と円筒部７３４とを有する。また、図５で示すように、円筒部７３３内には、固定子７２１の円柱部７２２が配置されており、その円柱部７２２の外周面と円筒部７３３の内周面との間には所定の空間７３３ａが確保されている。この空間７３３ａには、回転子７１９が差し込まれるが、回転子７１９の外周面と円筒部７３３の内周面とは一定の隙間が確保されている。
【００４４】
円筒部７３４には、防振ゴム７７が装着された固定子７２１の突出部７２３が収納される。図６に示すように、円筒部７３４は、内周面から突出する仕切７３４ａを有しており、この仕切７３４ａによって防振ゴム７７の第１振動吸収体７７１、第２振動吸収体７７２および第３振動吸収体７７３の両端が位置決めされる。また、円筒部７３４の内周面上では、第２振動吸収体７７２の底面側外周が接する部分に、僅かに突出した凸部７３４ｂが設けられおり、第２振動吸収体７７２の底面側外周が円筒部７３４の内周面に密着しないようになっている。
【００４５】
円筒部７３３の内径は円筒部７３４の内径より小さいため、円筒部７３３と円筒部７３４との境界には段差７３５が形成されている。防振ゴム７７の第１振動吸収体７７１、第２振動吸収体７７２および第３振動吸収体７７３は、段差７３５と固定子カバー７３９とで挟まれて保持される。段差７３５では、第１振動吸収体７７１、第２振動吸収体７７２および第３振動吸収体７７３と接する部分に、僅かに突出する凸部７３５ａが設けられているので、第１振動吸収体７７１、第２振動吸収体７７２および第３振動吸収体７７３は段差７３５に密着しないようになっている。
【００４６】
固定子カバー７３９は、中央に確認穴７３９ａを有する。確認穴７３９ａは、固定子７２１の軸受穴７２４よりも内径が大きい。このため、固定子軸受７５が、固定子７２１の軸受穴７２４へ挿入されたとき、固定子軸受７５が軸受穴７２４に正確に嵌合しているか否かが、外側から確認される。
【００４７】
（防振ゴム）
図７は防振ゴムの断面図であり、図８は防振ゴムが装着された固定子の正面図である。図７に示すように、防振ゴム７７は、第１振動吸収体７７１と、第２振動吸収体７７２と、第３振動吸収体７７３と、振動吸収体同士を長手方向に繋ぐ薄板状の連結体７７４とから成る。第１振動吸収体７７１は、袋状の凹部７７１ａを有している。凹部７７１ａは、固定子７２１の突出部７２３を覆うために設けられており、開口面７７１ｂと、底面部７７１ｃと、短側面部７７１ｄと、長側面部７７１ｅ（図６参照）とで形成されている。また、短側面部７７１ｄには、円周方向の剛性を小さくするために空洞部７７１ｆが設けられている。
【００４８】
また、第２振動吸収体７７２も、袋状の凹部７７２ａを有している。凹部７７２ａは、固定子７２１の突出部７２３を覆うために設けられており、開口面７７２ｂと、底面部７７２ｃと、短側面部７７２ｄと、長側面部７７２ｅ（図６参照）とで形成されている。また、短側面部７７２ｄには、円周方向の剛性を小さくするために空洞部７７２ｆが設けられている。
【００４９】
さらに、第３振動吸収体７７３も、袋状の凹部７７３ａを有している。凹部７７３ａは、固定子７２１の突出部７２３を覆うために設けられており、開口面７７３ｂと、底面部７７３ｃと、短側面部７７３ｄと、長側面部７７３ｅ（図６参照）とから形成されている。また、短側面部７７３ｄには、円周方向の剛性を小さくするために空洞部７７３ｆが設けられている。
【００５０】
第１振動吸収体７７１と、第２振動吸収体７７２と、第３振動吸収体７７３と、連結体７７４とは、成形金型によって一体で成形される。成形金型を製作する際に、連結体７７４が真直ぐのままでは部品長が長くなるため、金型一面における防振ゴム７７の取数が少なくなり不経済である。そこで本実施形態では、成形金型における連結体７７４の形状は、図７に示すように屈曲させた形状にしている。
【００５１】
成形金型から取り出された後の連結体は、材質がゴムであるため変形自在であり屈曲は自然に解消される。既に説明した様に、第１振動吸収体７７１、第２振動吸収体７７２および第３振動吸収体７７３は、それぞれ固定子７２１の３つの突出部７２３に装着される。組立後、中央の第２振動吸収体７７２は、組立後ほぼ鉛直下方になり固定子７２１の重力を受けるので、底面部７７２ｃは扁平し易くなる。そこで、第２振動吸収体７７２の凹部７７２ａの底面部７７２ｃには、固定子７２１の重力と抗する方向に複数の突起７７２ｈが設けられ、底面部７７２ｃの扁平が抑制されている。このため、固定子７２１の位置ずれが抑制される。
【００５２】
固定子７２１の重力は、凹部７７１ａの短側面７７１ｄ、凹部７７３ａの短側面７７３ｄにも作用する。この短側面７７１ｄ，７７３ｄには、固定子７２１の重力と抗する方向に突起７７１ｈ，７７３ｈが設けられている。このため、短側面７７１ｄ，７７３ｄの扁平が抑制され、固定子７２１の位置ずれは抑制される。
【００５３】
また、第１振動吸収体７７１の長側面７７１ｅ内面には、凸部７７１ｋが設けられている。凸部７７１ｋは、固定子７２１の突出部７２３の側面に設けられた凹部７２３ｋ（図６参照）と嵌合し、組立時に自重で落下することが防止されている。
【００５４】
同様に、第３振動吸収体７７３の長側面７７３ｅ内面には、凸部７７３ｋが設けられている。凸部７７３ｋは、固定子７２１の突出部７２３の側面に設けられた凹部７２３ｋと嵌合し、組立時に自重で落下することが防止されている。
【００５５】
また、図８に示すように組立後の第１振動吸収体７７１、第３振動吸収体７７３は、第２振動吸収体７７２から中心角にして１１０°上方に離れた位置にある。言い換えれば、固定子７２１の鉛直下方に位置する１つの突出部７２３を基準に、他の２つの突出部７２３が中心角にして１１０°上方に位置しており、それに対応するように３つの振動吸収体７７１，７７２，７７３同士の間隔が設定されている。
【００５６】
このため、作業者が各振動吸収体の装着位置を間違えた場合、３つの振動吸収体７７１，７７２，７７３の内の１つは装着できないので、装着間違いがすぐに判明し、組立不良が未然に防止される。
【００５７】
（軸受）
図５に示すように、固定子軸受７５は、ファン７１の第１シャフト７１２を支持する部材であり、軸受部７５１と軸受保持部７５２とから成る。
【００５８】
軸受部７５１は、合成樹脂で形成されており、固定子７２１のほぼ中央部に配置される。軸受保持部７５２は、ゴム材料で円筒形状に形成されており、ファン７１の回転による軸受部７５１の微小振動を抑制するため軸受部７５１を包み込むように支持している。
【００５９】
ファン軸受７６は、ファン７１の第２シャフト７１３を支持する軸受であり、軸受部７６１と軸受保持部７６２とから成る。
【００６０】
軸受部７６１は、合成樹脂で形成されており、ファン７１のエンドプレート７１１と対向する支持枠７８の一部に設けられる。軸受保持部７６２は、ゴム材料で円筒形状に形成されており、ファン７１の回転による軸受部７６１の微小振動を抑制するために軸受部７６１を包み込むように支持している。
【００６１】
＜回転子およびファンの回転が各部に及ぼす影響＞
以下に、回転子７１９およびファン７１が回転したときに、回転子７１９およびファン７１が各部に及ぼす影響について説明する。
【００６２】
回転子７１９およびファン７１が第１シャフト７１２および第２シャフト７１３を中心に回転すると、回転子７１９およびファン７１の回転に伴う微小振動が、第１シャフト７１２および第２シャフト７１３から固定子軸受７５およびファン軸受７６に伝達される。
【００６３】
そして、固定子軸受７５において、微小振動は、第１シャフト７１２を軸支する軸受部７５１によって抑制される。また、ファン軸受７６において、微小振動は、第２シャフト７１３を軸支する軸受部７６１によって抑制される。
【００６４】
そして、軸受部７５１および軸受部７６１によって抑制しきれなかった振動については、固定子軸受７５から固定子７２１に、ファン軸受７６から支持枠７８に伝達される。そして、固定子軸受７５から固定子７２１に伝達された振動は、固定子７２１の突出部７２３に装着された防振ゴム７７によって吸収され抑制される。
【００６５】
＜固定子組立体の組立＞
ここでは、図６を参照しながら固定子組立体７２０の組立方法を説明する。先ず、作業者は、固定子７２１の３つの突出部７２３に、防振ゴム７７の第１振動吸収体７７１、第２振動吸収体７７２および第３振動吸収体７７３を装着する。
【００６６】
次に、作業者は、固定子７２１を固定子ケース７３２内の円筒部７３４側から円筒部７３３側に向かって挿入する。このとき、第１振動吸収体７７１、第２振動吸収体７７２および第３振動吸収体７７３は、円筒部７３４の仕切７３４ａに沿うように位置決めされ、第１振動吸収体７７１、第２振動吸収体７７２および第３振動吸収体７７３が、固定子ケース７３２の段差７３５に当るまで挿入される。
【００６７】
次に、作業者は、固定子カバー７３９を固定子ケース７３２の円筒部７３４側から固定子ケース７３２の内部に向かって挿入する。このとき、固定子カバー７３９の爪７３９ｄ，７３９ｅは、固定子ケース７３２の爪穴７３２ｄ，７３２ｅに嵌るところまで挿入される。
【００６８】
次に、作業者は、固定子軸受７５を固定子７２１の円柱部７２２側から軸受穴７２４の内部に向かって挿入する。
【００６９】
なお、固定子軸受７５が軸受穴７２４に確実に挿入されたか否かを確認するため、作業者は、固定子カバー７３９の確認穴７３９ａから、軸受穴７２４に固定子軸受７５が嵌合していることを目視する。
【００７０】
＜固定子組立体の支持枠への位置決め＞
図９は、送風ユニットが支持枠に組立てられる状態を示す斜視図である。支持枠７８は、ファン７１の羽部７１４の背面側を覆う背面板７８６と、ファン７１の羽部７１４の下方を覆う下方板７８７とが略Ｌ字状に連結された構造体である。支持枠７８のコーナーには、固定子ケース７３２外周のほぼ半分を保持する保持部７８８が形成されている。固定子ケース７３２が、保持部７８８に位置決めされた後、外周保持板８１が、露出している固定子ケース７３２の外周を覆うように支持枠７８へ取付けられる。
【００７１】
＜室内ファンモータユニットの取り外し＞
故障等によって、作業者が、室内ファンモータユニット７２を交換しなければならない場合、先ず、固定子ケース７３２から固定子カバー７３９を外し、次に、固定子７２１を軸方向に抜き取る。このように、外周保持板８１を付けたままの状態で、固定子７２１を外すことができるので、作業性が良い。
【００７２】
＜特徴＞
（１）
このファンモータユニット７２では、防振部材７７が、固定子７２１の外周に沿って装着され固定子７２１の振動を吸収する。防振部材７７は、複数の袋状の振動吸収体７７１，７７２，７７３と、その複数の振動吸収体７７１，７７２，７７３を長手方向に連結する薄板状の連結体７７４とを有している。
このファンモータユニット７２では、防振部材７７を取出す動作は、複数の振動吸収体を１つずつ取出す動作に比べて時間が短くなり、組立作業性が向上する。
また、振動吸収体７７１，７７１，７７３が固定子７２１の外周に沿って装着されたとき、連結体７７４で連結されている振動吸収体同士の間隔と、連結体７７４で連結されていない振動吸収体同士の間隔とが不均等になっており、作業者は、装着位置を間違えると正しく装着することができない。このため、作業者は、防振部材の装着位置の間違いを素早く認識することができ、組立不良が未然に防止される。
また、振動吸収体７７１，７７２，７７３は、突出部７２３に嵌り込む袋状の凹部７７１ａ，７７２ａ，７７３ａを有しており、嵌り込み状態の良し悪しが素早く確認でき、組立不良が未然に防止される。
（２）
このファンモータユニット７２では、振動吸収体７７１，７７２，７７３と連結体７７４とが一体成形されているので、振動吸収体７７１，７７２，７７３と連結体７７４とが同材料で同時に成形され、材料の兼用化によって製造コストが低減される。
また、振動吸収体７７１，７７２，７７３と連結体７７４とを一体に形成する際、連結体７７４が屈曲状態で形成される。連結体７７４を屈曲させることで、防振部材７７の成形金型における長手方向寸法が短縮される。このため、成形金型における防振部材の取数が増加し、単価が低減される。
（３）
このファンモータユニット７２では、振動吸収体７７１，７７２，７７３が、固定子７２１の重力に抗する方向へ突出して突出部７２３と接触する突起７７１ｈ，７７２ｈ，７７３ｈを有している。特に、組立後の位置がほぼ鉛直下方になる第２振動吸収体７７２が、第１振動吸収体７７１、第３振動吸収体７７３よりも突起の数を多く有する。突起７７１ｈ，７７２ｈ，７７３ｈは、固定子７２１の重力を受けて変形し応力を緩和するので、突起７７１ｈ，７７２ｈ，７７３ｈ以外の領域が固定子の重力によって扁平することが抑制され、固定子の位置ズレも抑制される。
【産業上の利用可能性】
【００７３】
以上の様に、本発明は、固定子の振動を吸収する防振部材の組立作業性が良く、回転子と固定子を分離する構造のファンモータユニットに有用である。
【図面の簡単な説明】
【００７４】
【図１】空気調和装置の外観図。
【図２】空気調和装置の冷媒回路の構成図。
【図３】空気調和装置の室内機の右側面断面図。
【図４】送風ユニットの概略平面図。
【図５】支持枠に組立てられたファン及び室内ファンモータユニットの断面図。
【図６】固定子組立体の分解斜視図。
【図７】防振ゴムの断面図。
【図８】防振ゴムが装着された固定子の正面図。
【図９】送風ユニットが支持枠に組立てられる状態を示す斜視図。
【符号の説明】
【００７５】
２  空調室内機
５０  室内熱交換器
７１  ファン
７２  室内ファンモータユニット
７７  防振部材
７１２  第１シャフト（回転軸）
７１９  回転子
７２１  固定子
７２３  突出部
７７１  第１振動吸収体
７７２  第２振動吸収体
７７３  第３振動吸収体
７７１ａ，７７２ａ，７７３ａ  凹部
７７１ｈ，７７２ｈ，７７３ｈ  突起
７７４  連結体
【図１】
2008089198.tif 000003
【図２】
2008089198.tif 000004
【図３】
2008089198.tif 000005
【図４】
2008089198.tif 000006
【図５】
2008089198.tif 000007
【図６】
2008089198.tif 000008
【図７】
2008089198.tif 000009
【図８】
2008089198.tif 000010
【図９】
2008089198.tif 000011